(57)【要約】【課題】  光源と防火線板の組合構造を提供する。【解決手段】  低電流および低電圧から作られたＬＥＤ５０２を光源とし、透明プラスチック管５０１でＬＥＤ５０２を覆い包んで長い条状に製作されている。それには任意に折り曲げて配列できる特性があり、光源と電源との間にはブザー７２が設けられている。防火線板材の凹溝に取り付けて透明外蓋の嵌めほぞ２０１と嵌め溝１０１または凸ほぞと凹溝を互いに嵌め付ける。それに発生する光は装飾物や看板を目立たせ、ブザーの音声によって災害時の逃げ方向を効果的に指示する。【選択図】    図１
0003102682.tif 000002
【実用新案登録請求の範囲】
【請求項１】
低電流及び低電圧から作られたＬＥＤを光源とし、透明プラスチック管でＬＥＤを覆い包んで長い条状に製作され、それには任意に折り曲げて配列可能な特性があり、かつ光源と電源との間にはブザーが設けられ、それを防火線板材の凹溝に取り付けて透明外蓋の嵌めほぞと嵌め溝または凸ほぞと凹溝を互いに嵌め付け、それに発生する光は装飾物や看板を目立たせ、ブザーの音声によって災害時の逃げ方向を効果的に指示することを特徴とする光源と防火線板の組合構造。
【考案の詳細な説明】
【技術分野】
【０００１】
本考案は、光源と防火線板の組合構造に関するもので、特に、直列条状に作られ、低電圧及び低電流のＬＥＤを光源とし、それの任意に折り曲げて配列できる特性をもって防火線板の凹溝に合わせて配列し、装飾物を目立たせることができる。
【背景技術】
【０００２】
装飾物を目立たせる光源などが公知である。
【考案の開示】
【考案が解決しようとする課題】
【０００３】
しかしながら、火災などが生じ、停電した場合、ＬＥＤなどの光源は発光を停止する。そのため、誘導が困難となり、迅速に危険な現場から逃げ出し、死傷の発生を招くおそれがある。また、漏電が生じると、感電するおそれもある。
そこで、本考案の目的は、各種の装飾物を目立たせ、感電のおそれがない光源と防火線板の組合構造を提供することにある。
【課題を解決するための手段】
【０００４】
本考案は、各種装飾物を目立たせる外、各階層の階段または仕切り壁の底縁に設けられて路線の指示になり、または、防火非常ドアーの面板または枠縁に取り付け、かつそれは電源が遮断せず、光源と電源出力端間の適当位置にブザー及びコントロールスイッチボックスが設けられ、停電した場合、ＬＥＤは直ちに不等速または等速の断続的点滅発光になり、特に、火災発生時は不等速または等速の断続的点滅発光により、最短時間に於いて点滅光線の方向によって迅速に危険な現場から逃げ出し、死傷の発生を避けることができる。また、地震のような災害が発生した場合、電気が遮断されたにかかわらず、ブザーの音によって危険が発生したことを示し、ＬＥＤ光源の方向によって迅速に危険現場から離れさせることができる。本考案は２４ボルト以下の低電流及び低電圧を電源とし、かつＬＥＤを耐火性の透明プラスチック管で覆っているので、水の中に浸かっても漏電することはなく、感電する恐れはまったくない。
【考案を実施するための最良の形態】
【０００５】
本考案の一実施例による光源と防火線板の組合構造は、２４ボルト以下の低電流及び低電圧を電源としているので、水の中に浸かっても漏電して感電する恐れはまったくなく、かつ任意に折り曲げて配列できる特性があるので、交通標識（例えば、安全仕切りまたはバリケードの方向標識）の指示及び看板の標示にも使用することができ、かつそれは防水プラスチック管に覆い包まれているので、水管装飾ランプにも使われる。
【０００６】
図１、図２、図３、図４、図５及び図６を参照ください。本実施例は、ＬＥＤ５０２を透明なプラスチック管５０１で覆い包み、長い棒状のランプ棒５０を形成し、それの長さは需要によって作成することができ、装飾物図案６０（例として取り上げた）は外形または需要によって線板溝２０に設計され、その線板溝２０の内側辺にはほぞ２０１が設けられ、線板溝２０内の空間は任意に折り曲げて配列できるランプ棒５０の設置に供され、上蓋１０は透明な円弧状の蓋であり、それの両側辺の線板溝２０のほぞ２０１と対応する位置には嵌め溝１０１が設けられ、ランプ棒５０を線板溝２０内に設置すれば、上蓋１０をそれに蓋し、ほぞ２０１と嵌め溝１０１を互いに嵌め付けることによって、ランプ棒５０をその中に固定し、ＬＥＤ５０２光源の光は透明状の上蓋１０を通りぬき、その装飾物図案は顕われて目立った目標になる。
【０００７】
また、本実施例の線板溝４０の上縁両側端は一端に凸ほぞ４０１があり、他端は凹溝４０２であるように設計されてもよく、上蓋３０は透明の蓋で、それの下縁と下溝４０の凸ほぞ４０１と凹溝４０２の対応端にはそれぞれ凹溝３０２及び凸ほぞ３０１が設けられ、ランプ棒５０が下溝４０に取り付けられると、それらは互いに嵌め付いて固定される。本実施例のランプ棒５０の電源端には停電せず多段に点滅するコントロールボックス７１が設計され、停電時は持続的に光源を発生し、または、スイッチの切り替えによって、閃く光を発生する。
【０００８】
また、本実施例のランプ棒５０の光源と電源差込７０端との間にブザー７２が設けられ、地震が発生して建築物が揺れている場合、ブザー７２の音声警告並びにランプ棒５０のＬＥＤ光源の閃きによって迅速に危険な現場から逃げ出させる。
【０００９】
本実施例は各階層の階段または仕切り壁の底縁に設けられて指示路線と防火非常ドアーを互いに連通させ、もし火災や不意なことが発生して煙が充満して上へ吹き上がると、階段や仕切り壁の底縁に設けられている本実施例は点滅する光を提供し、現場にいる人々に逃げ道を教えて現場から逃げ出させ、死傷者の発生を避けることができる。
【００１０】
前記をまとめると、本実施例は低電流及び低電圧の材料をもって条状のランプ棒５０を作り、それは漏電せず、導電しないので感電する恐れがなく、それに発生する光源と線板材料の組合せによって装飾品や看板を目立つようにし、危険時の指示標示に使われ、それは理想な創作とも言えるので、実用新案の登録請求を提出し、早急にご審査くださるようにお願い申し上げます。
【図面の簡単な説明】
【００１１】
【図１】本考案の一実施例による光源と防火線板の組合構造を示す模式図である。
【図２】本考案の一実施例による光源と防火線板の組合構造を示す模式図である。
【図３】本考案の一実施例による光源と防火線板の組合構造を示す模式図である。
【図４】本考案の一実施例による光源と防火線板の組合構造を示す模式図である。
【図５】本考案の一実施例による光源と防火線板の組合構造の使用状態を示す模式図である。
【図６】本考案の一実施例による光源と防火線板の組合構造の使用状態を示す模式図である。
【符号の説明】
【００１２】
１０  上蓋、２０  線板溝、３０  上蓋、４０  下溝、５０  ランプ棒、６０  装飾物図案、７０  電源差込、７１  コントロールボックス、７２  ブザー、１０１  嵌め溝、２０１  ほぞ、３０１  凸ほぞ、３０２  凹溝、４０１  凸ほぞ、４０２  凹溝、５０１  プラスチック管、５０２  ＬＥＤ
【図１】
0003102682.tif 000003
【図２】
0003102682.tif 000004
【図３】
0003102682.tif 000005
【図４】
0003102682.tif 000006
【図５】
0003102682.tif 000007
【図６】
0003102682.tif 000008